(57)【特許請求の範囲】
【請求項１】
トイレットの室内空間を形成する壁面に固定される取付部材と、トイレットペーパーを引き出し可能に収納すると共に前記取付部材に固定され、少なくとも前壁とこの前壁と平行に配設される後壁と前記前壁と後壁とを接続するために互いに平行に配設される一対の側壁とを備えたホルダー本体とから構成されるトイレットペーパーホルダーであって、
収納された前記トイレットペーパーが前記ホルダー本体の前記両側壁と前記後壁及び前記取付部材とで形成される第１空間内を引き出し過ぎをしないで上昇するように抵抗を付与する抵抗付与部材を、その抵抗付与部分が前記第１空間内に入り込むように前記ホルダー本体の前記後壁裏面に設けると共に、
前記ホルダー本体の前記前壁の上端部に前記トイレットペーパーを切断するためのカッターを上向きに設け、
前記前壁と前記後壁とにより形成された第２空間内に片方の手の指を入れて、前記トイレットペーパーの開放側端部を摘まんで引き出すと、前記トイレットペーパーは前記第１空間内に入り込んでいる前記抵抗付与部分に接触しながら、適度な抵抗を受けながら上昇し、前記トイレットペーパーを下方へ引くことにより、前記カッターにより切断する
ようにしたことを特徴とするトイレットペーパーホルダー。
【請求項２】
トイレットの室内空間を形成する壁面に固定される取付部材と、トイレットペーパーを引き出し可能に収納すると共に前記取付部材に固定され、少なくとも前壁とこの前壁と平行に配設される後壁と前記前壁と後壁とを接続するために互いに平行に配設される一対の側壁とを備えたホルダー本体とから構成されるトイレットペーパーホルダーであって、
収納された前記トイレットペーパーが前記ホルダー本体の前記両側壁と前記後壁及び前記取付部材とで形成される第１空間内を引き出し過ぎをしないで上昇するように抵抗を付与するように前記後壁に前記トイレットペーパーを適度の押圧力で押圧する押圧体を、前記取付部材の表面に設けると共に、
前記ホルダー本体の前記前壁の上端部に前記トイレットペーパーを切断するためのカッターを上向きに設け、
前記前壁と前記後壁とにより形成された第２空間内に片方の手の指を入れて、前記トイレットペーパーの開放側端部を摘まんで引き出すと、前記トイレットペーパーは前記後壁に前記押圧体により押圧されて適度な抵抗を受けながら上昇し、前記トイレットペーパーを下方へ引くことにより、前記カッターにより切断する
ようにしたことを特徴とするトイレットペーパーホルダー。
【請求項３】
前記後壁より少し後方へ延びた一方の前記側壁の後端部はヒンジにより前記取付部材に連結し、他方の前記側壁は工具を使用することなく手で前記取付部材に着脱自在に取り付け、取り外しができるように固定部材を介して取り付けたことを特徴とする請求項１又は２に記載のトイレットペーパーホルダー。
【請求項４】
前記第１空間内に入り込む前記抵抗付与部分は、その上端に複数の鋸歯を形成したものであることを特徴とする請求項１に記載のトイレットペーパーホルダー。
【請求項５】
前記トイレットペーパーの引き出しの際や前記カッターによる切断の際に、使用者の手指が前記カッターに触れにくくして保護する保護部材を、前記ホルダー本体の前記前壁上部の、少なくとも左右いずれかの端部に設けたことを特徴とする請求項１又は２に記載のトイレットペーパーホルダー。
【請求項６】
使用者が前記トイレットペーパーの開放側端部を摘まんで引き出して、その後に切断する時に、前記トイレットペーパーが移動しないように保持する役目を果たすペーパー保持部を、前記ホルダー本体の前記前壁に配置された前記カッターの後方位置に設けたことを特徴とする請求項１又は２に記載のトイレットペーパーホルダー。
【発明の詳細な説明】
【技術分野】
【０００１】
本発明は、トイレットペーパーを片手で容易に切り取れるようにした、衛生的なトイレットペーパーホルダーに関するものである。
【背景技術】
【０００２】
トイレットペーパーホルダーは、トイレットペーパーを引き出すのに、片手で行うのは難しく、トイレットペーパーを上方から回動可能に覆う上蓋体を片方の手で押さえて、他方の手で切るようにするのが一般的である。この場合、一方の手で、トイレットペーパーの先端部を摘まんで引き出して、他方の手で押さえた前記上蓋体の先端部でトイレットペーパーを切断している。従って、引き出しの際には、トイレットペーパーの先端部を摘まむのが難しいという問題があり、また切断の際には両手を使用するため面倒であるという問題もある。
【０００３】
そして、例えば特許文献１に開示するように、片手でも切断し易いように、前記上蓋体の先端内側に刻みをつけたカッターを取り付けて、切り易くする技術が提案されている。また、例えば特許文献２に開示するように、片手でも切断し易いように、トイレットペーパー引き出し面の先端にカッターを形成して、切り易くする技術が提案されている。
【先行技術文献】
【特許文献】
【０００４】
【特許文献１】実開平６−５２６９２号公報
【特許文献２】実開昭６２−１３１６９７号公報
【発明の概要】
【発明が解決しようとする課題】
【０００５】
しかしながら、前述した特許文献１及び２に記載のトイレットペーパーホルダーの技術にあっては、トイレットペーパーを片手で、切断できても、トイレットペーパーの先端部を摘みにくく、トイレットペーパーの先端部を引き出すのが困難である。
【０００６】
そこで、本発明は上記のような問題を解消するためになされたもので、衛生的にトイレットペーパーを片手で引き出すことができると共に片手で切断できるようにし、且つトイレットペーパーをその引き出し時に引き出し過ぎないように、適度の抵抗を持たせるようにして、確実に所望の長さ分だけ引き出せるようにすることを目的とする。
【課題を解決するための手段】
【０００７】
このため第１の発明は、トイレットの室内空間を形成する壁面に固定される取付部材と、トイレットペーパーを引き出し可能に収納すると共に前記取付部材に固定され、少なくとも前壁とこの前壁と平行に配設される後壁と前記前壁と後壁とを接続するために互いに平行に配設される一対の側壁とを備えたホルダー本体とから構成されるトイレットペーパーホルダーであって、
収納された前記トイレットペーパーが前記ホルダー本体の前記両側壁と前記後壁及び前記取付部材とで形成される第１空間内を引き出し過ぎをしないで上昇するように抵抗を付与する抵抗付与部材を、その抵抗付与部分が前記第１空間内に入り込むように前記ホルダー本体の前記後壁裏面に設けると共に、
前記ホルダー本体の前記前壁の上端部に前記トイレットペーパーを切断するためのカッターを上向きに設け、
前記前壁と前記後壁とにより形成された第２空間内に片方の手の指を入れて、前記トイレットペーパーの開放側端部を摘まんで引き出すと、前記トイレットペーパーは前記第１空間内に入り込んでいる前記抵抗付与部分に接触しながら、適度な抵抗を受けながら上昇し、前記トイレットペーパーを下方へ引くことにより、前記カッターにより切断する
ようにしたことを特徴とする。
【０００８】
また、第２の発明は、トイレットの室内空間を形成する壁面に固定される取付部材と、トイレットペーパーを引き出し可能に収納すると共に前記取付部材に固定され、少なくとも前壁とこの前壁と平行に配設される後壁と前記前壁と後壁とを接続するために互いに平行に配設される一対の側壁とを備えたホルダー本体とから構成されるトイレットペーパーホルダーであって、
収納された前記トイレットペーパーが前記ホルダー本体の前記両側壁と前記後壁及び前記取付部材とで形成される第１空間内を引き出し過ぎをしないで上昇するように抵抗を付与するように前記後壁に前記トイレットペーパーを適度の押圧力で押圧する押圧体を、前記取付部材の表面に設けると共に、
前記ホルダー本体の前記前壁の上端部に前記トイレットペーパーを切断するためのカッターを上向きに設け、
前記前壁と前記後壁とにより形成された第２空間内に片方の手の指を入れて、前記トイレットペーパーの開放側端部を摘まんで引き出すと、前記トイレットペーパーは前記後壁に前記押圧体により押圧されて適度な抵抗を受けながら上昇し、前記トイレットペーパーを下方へ引くことにより、前記カッターにより切断する
ようにしたことを特徴とする。
【０００９】
第３の発明は、第１又は第２の発明において、前記後壁より少し後方へ延びた一方の前記側壁の後端部はヒンジにより前記取付部材に連結し、他方の前記側壁は工具を使用することなく手で前記取付部材に着脱自在に取り付け、取り外しができるように固定部材を介して取り付けたことを特徴とする。
【００１０】
第４の発明は、第１の発明において、前記第１空間内に入り込む前記抵抗付与部分は、その上端に複数の鋸歯を形成したものであることを特徴とする。
【００１１】
第５の発明は、第１又は第２の発明において、前記トイレットペーパーの引き出しの際や前記カッターによる切断の際に、使用者の手指が前記カッターに触れにくくして保護する保護部材を、前記ホルダー本体の前記前壁上部の、少なくとも左右いずれかの端部に設けたことを特徴とする。
【００１２】
第６の発明は、第１又は第２の発明において、使用者が前記トイレットペーパーの開放側端部を摘まんで引き出して、その後に切断する時に、前記トイレットペーパーが移動しないように保持する役目を果たすペーパー保持部を、前記ホルダー本体の前記前壁に配置された前記カッターの後方位置に設けたことを特徴とする。
【発明の効果】
【００１３】
以上のように、本発明によれば、ホルダー本体に手を触れることなく衛生的に、トイレットペーパーを片手で引き出すことができると共に片手で切断できるようにし、且つトイレットペーパーをその引き出し時に引き出し過ぎないように、適度の抵抗を持たせるようにして、確実に所望の長さ分だけ引き出せるようにすることができる。
【図面の簡単な説明】
【００１４】
【図１】第１の実施形態に係るトイレットペーパーホルダーの外観斜視図である。
【図２】第１の実施形態に係るトイレットペーパーホルダーのホルダー本体を開いた状態のである。
【図３】支持体の斜視図である。
【図４】第２の実施形態に係るトイレットペーパーホルダーの外観斜視図である。
【図５】第２の実施形態に係るトイレットペーパーホルダーのホルダー本体を開いた状態のである。
【発明を実施するための形態】
【００１５】
以下、使用者が手を触れることなく、衛生的なトイレットペーパーホルダー１の本発明の第１の実施形態を図１乃至図３に基づいて説明する。先ず、前記トイレットペーパーホルダー１は、大きく分けて、トイレットを構成する部屋の室内空間を形成する壁面に固定される取付部材を構成する取付板２と、この取付板２に固定されるホルダー本体３とから構成される。
【００１６】
本実施形態では、前記取付板２は、例えば木材で構成し、前記ホルダー本体３は硬質の合成樹脂材料で構成するが、これに限らず、種々の材質が考えられる。この場合、前記ホルダー本体３は当初より一体成形で作製してもよいし、別部材を固定して一体化してもよい。また、前記取付板２は硬質の合成樹脂材料で構成してもよい。
【００１７】
なお、前記取付板２は、前記ホルダー本体３が取り付けられる前に、トイレットを構成する部屋の前記壁面に取り付けてもよいし、前記ホルダー本体３が取り付けられた後の状態で、前記壁面に取り付けてもよい。この場合、前記壁面を構成する材質に応じて、ネジ、釘等の固定部材を使用して前記取付板２を前記壁面に取り付け固定してもよいし、接着剤や、両面テープ（両面粘着テープ）等を介して取り付けてもよい。例えば、前記両面テープを使用した場合には、大掛かりな取付工事をすることなく、極めて簡単に前記壁面に取り付け固定することができる。また、面ファスナーを使用して、前記取付板２を前記トイレットを構成する部屋の前記壁面に取り付けてもよい。
【００１８】
前記ホルダー本体３は、それぞれ上端部が半円状に切除されて平行に配設される両側壁３Ａ、３Ｂと、前記両側壁３Ａ、３Ｂと上端の高さレベルが同じであるが前記両側壁３Ａ、３Ｂより高さ寸法が短い後壁３Ｃと、前記両側壁３Ａ、３Ｂと上端の高さレベルが同じであるが前記両側壁３Ａ、３Ｂより高さ寸法が短いもので前記後壁３Ｃと平行に配設される前壁３Ｄと、前記両側壁３Ａ、３Ｂと前記前壁３Ｄと前記後壁３Ｃとで形成される上面開口を閉塞するもので断面が半円状の上壁３Ｅとから構成され、下面は開口している。また、トイレットペーパーＰ（二点鎖線で示す。）を収納し易いように、前記ホルダー本体３の前記前壁３Ｄは前記両側壁３Ａ、３Ｂより高さ寸法が短く、下部が開口していると共に、前記トイレットペーパーＰを上方へ導くために、前記後壁３Ｃも前記両側壁３Ａ、３Ｂより高さ寸法が短く、下部が開口している。
【００１９】
そして、前記両側壁３Ａ、３Ｂ、前記前壁３Ｄ、前記後壁３Ｃ及び前記上壁３Ｅにより、左右のいずれの横方向（水平方向）から、少なくとも、左手又は右手の人差し指が入れるような空間Ｓ１が形成されることとなる。
【００２０】
なお、前記両側壁３Ａ、３Ｂの上端部を半円形状に切除するだけで、前記上壁３Ｅを必ずしも設けなくともよい。このようにしても、前記両側壁３Ａ、３Ｂ、前記前壁３Ｄ及び前記後壁３Ｃとにより、前述したような空間Ｓ１が形成されることとなる。このような空間Ｓ１を形成することにより、後述するように、使用者が前記ホルダー本体３に手を触れることなく、この空間Ｓ１内に片方の手の指（例えば、「人差し指又は中指、或いは両指」、以下同じ。）を入れて、この片方の手でトイレットペーパーＰの開放側端部を摘まんで、必要な長さ分だけ手前方向に引き出すことができる。
【００２１】
なお、図１及び図２において、二点鎖線で示す前記トイレットペーパーＰは、シングル又はダブルのもの、ミシン目があるもの又は無いもの、紙管があるもの又は無いものの、いずれであってもよい。
【００２２】
そして、前記後壁３Ｃより少し後方へ延びた前記側壁３Ａ、３Ｂの後端部は、例えば左側がヒンジ（例えば、平蝶番）５を介して前記取付板２に連結され、右側が工具を使用することなく固定部材６を介して前記取付板２に着脱自在に取り付け、取り外しが手でできるように取り付けられる。
【００２３】
なお、前記両側壁３Ａ、３Ｂの後端部は、逆に右側が前記ヒンジ５を介して前記取付板２に接続され、また左側が前記固定部材６を介して前記取付板２に着脱自在に取り付けてもよい。従って、前記トイレットペーパーＰのセット時に、前記固定部材６の固定を解除することにより、前記ホルダー本体３は一側の前記ヒンジ５の支軸５Ｃを介して他側を前方へと回動させることができる。
【００２４】
なお、本実施形態では、前記ヒンジ５は一方の面５Ａが前記取付板２にネジ５Ｄで固定され、他方の面５Ｂが前記後壁３Ｃより後方へ突出した前記側壁３Ｂの後端壁３Ｂ１の内側にネジ５Ｄで固定され、支軸５Ｃを支点として、このヒンジ５により工具を使用することなく、前記ホルダー本体３は右側が手で開閉可能に前方及び後方へと回動することができる。
【００２５】
そして、前述したように、前記側壁３Ａの後端部は前記固定部材６を介して前記取付板２に、工具を使用することなく着脱自在に取り付け、取り外しができるように取り付けられるが、本実施形態では、前記後壁３Ｃより後方へ突出した前記側壁３Ａの後端壁３Ａ１の内側面（後面でもよい）と前記取付板２の前面には、各磁石６Ａ、６Ｂの対向する側が、互いに磁極が異なるように配設されてネジ７により取り付け固定される。従って、磁力により両磁石６Ａ、６Ｂが吸着することにより、前記ホルダー本体３は閉じられ、逆に使用者は手で磁力に抗して前記ホルダー本体３の右部を前記ヒンジ５により前方へ回動させて開くことができる。
【００２６】
なお、前記ホルダー本体３の前記後壁３Ｃより後方へ突出した前記側壁３Ａ又は３Ｂの後端壁３Ａ１又は３Ｂ１の内側面（後面でもよい）と前記取付板２の前面の一方には磁石を取り付け固定し、他方には前記磁石に対応する部位に鉄、ニッケル、コバルト等の強磁性体から成る磁石吸着体、例えば鉄板を取り付け固定してもよい。
【００２７】
そして、前記ホルダー本体３の前記側壁３Ａ、３Ｂの下部の内側（内側面）には、ロール状のトイレットペーパーＰを回転可能に支持するペーパー支持部材８が設けられ、即ち前記側壁３Ａ、３Ｂの下部の内側の対向する部位に伸縮可能な概ね棒状の支持体９を支持する支持溝（図示せず）がそれぞれ形成されて、両支持溝内に前記支持体９の各挿入凸部９Ａが挿入されると、前記トイレットペーパーＰは両側壁３Ａ、３Ｂ間で前記ペーパー支持部材８に回転可能に支持される。
【００２８】
具体的には、図３に示すように、前記支持体９の両端部には縮径の前記挿入凸部９Ａが外方へ突出するように形成され、通常は前記支持体９が内蔵されたバネ（図示せず）の付勢力により伸長した状態で、即ち前記支持体９の一方９Ｂの縮径部９Ｂ１が他方９Ｃの開口部内に挿入されるも抜けない状態で伸長した状態で、各挿入凸部９Ａが前記側壁３Ａ、３Ｂに形成された前記側壁３Ａ、３Ｂに設けられた前記支持溝にそれぞれ挿入され、前記トイレットペーパーＰは前記ホルダー本体３に回転可能に支持される。
【００２９】
また、前記バネの付勢力に抗して前記支持体９を短縮すると、即ち前記支持体９の一方９Ｂの縮径部９Ｂ１を更に他方９Ｃに挿入させるようにして短縮させて各挿入凸部９Ａを前記支持溝から外せるので、この外した状態にしてから未使用の前記トイレットペーパーＰの中央開口部内に前記支持体９を挿通させて、前記支持体９を短縮又は伸長させながら各挿入凸部９Ａを前記支持溝にそれぞれ挿入させることにより、前記トイレットペーパーＰを前記ホルダー本体３に収納し、セットできる。
【００３０】
この場合、外径が最大寸法である未使用の前記トイレットペーパーＰが前記支持体９に支持された状態では、このトイレットペーパーＰはその上方に位置する前記前壁３Ｄの下端には当接しないように、前記前壁３Ｄの上下方向の長さと下端の高さレベルが決められる。また同じく、未使用の前記トイレットペーパーＰが前記支持体９に支持された状態では、前記後壁３Ｃに当接しないように、前記支持体９の回転中心と前記後壁３Ｃの下端との間の距離が考慮され、前記後壁３Ｄの上下方向の長さと下端の高さレベルが決められる。このため、使用者は前記トイレットペーパーＰを前記ホルダー本体３に収納し、セットでき、前記トイレットペーパーＰは前記ホルダー本体３に回転可能に支持されることとなる。
【００３１】
なお、前記トイレットペーパーＰを回転可能に支持する構造は、種々考えられ、例えば前述したような構造の前記支持体９に限らず、伸縮可能な蛇腹状の構造のものでもよく、伸縮可能な１本の前記支持体９に代えて、前記ホルダー本体３の前記側壁３Ａ、３Ｂの内側の対向する部位に、それぞれ起伏可能な支持体（図示せず）を設けて、この一対の支持体により前記トイレットペーパーＰを回転可能に支持するようにしてもよい。
【００３２】
即ち、前記トイレットペーパーＰを支持する構造は、種々の形態があり、前記ホルダー本体３に前記トイレットペーパーＰを簡単に取り付けられれば足りる。このようにして、前記ホルダー本体３に、前記トイレットペーパーＰを回転可能に支持した状態で収納できる。
【００３３】
なお、図２に示すように、前記後壁３Ｃの裏面には、前記トイレットペーパーＰの引き出しの際の上昇するときに適度の抵抗を与えることにより、空回りすることよって生じる引き出し過ぎをしないようにするためのものである抵抗付与部材１０が取り付け固定される。この抵抗付与部材１０は、種々の構造のものが考えられるが、本実施形態では、前記後壁３Ｃの裏面に固定される固定部分１０Ａと、この固定部分１０Ａの下部を斜め上方に折り返した抵抗付与部分１０Ｂとから構成される。
【００３４】
なお、前記抵抗付与部材１０を前記後壁３Ｃの裏面に取り付け固定したが、前記抵抗付与部分１０Ｂが上部に向かうに従って前記取付板２から徐々に離れる度合を増すことにより前記空間Ｓ２に入り込む度合が増すように、前記取付板２の表面に取り付けるようにしてもよい。
【００３５】
この抵抗付与部分１０Ｂと前記固定部分１０Ａとの成す角度は、例えば５度〜２０度前後であって、折り返された前記抵抗付与部分１０Ｂの上端には先端部には概ね三角形状の複数の鋸歯１０Ｃが形成されている。なお、前記トイレットペーパーＰの引き出しの際の抵抗の度合を増減するために、前記抵抗付与部分１０Ｂと前記固定部分１０Ａとの成す角度を調整することにより対応できる。
【００３６】
なお、前記抵抗付与部材１０Ｂは、種々の形態が考えられるが、前記トイレットペーパーＰの引き出しの際の上昇するときに適度の抵抗を与えることにより、空回りすることよって生じる引き出し過ぎをしないようにすることができるものであればよく、要は引き出し時のブレーキを与えるものであり、例えば、表面に滑り止め加工を施したものや、摩擦を生じるような材質で形成したものでもよい。また、前記抵抗付与部材１０は、引き出しの際に空回りすることよって生じる引き出し過ぎをしないようにすることができる。
【００３７】
そして、前記前壁３Ｄの上端部、即ち前記前壁３Ｄの上面には、この前壁３Ｄに沿って前記トイレットペーパーＰを切断するための切断部材となるカッター１１が上向きに埋設されて取り付けられているが、前述した埋設に限らず、単に前記前壁３Ｄの上端部に固定手段（例えば、ネジ等）で固定するようにしてもよい。
【００３８】
なお、前記カッター１１（正確には、記カッター１１の鋸歯１１Ａが形成されている部分）の長手方向の長さは、前記トイレットペーパーＰの幅よりも十分長く、前記トイレットペーパーＰの幅の全域が前記カッター１１の鋸歯１１Ａに当たり、確実にミシン目以外の箇所においても前記トイレットペーパーＰを断できる。
【００３９】
前記前壁３Ｄと前記後壁３Ｃとの高さレベルは同じか略同じ高さレベルであって、前記カッター１１の上端は前記前壁３Ｄから上方へ突出するように配設されるので、前記前壁３Ｄと前記後壁３Ｃとの間の前記トイレットペーパーＰの高さレベルは僅か後方へ向けて低いものの概ね水平であるが、前記カッター１１の鋸歯１１Ａの上端と前記後壁３Ｃとの高さレベルを同じか略同じ高さレベルとし前記前壁３Ｄの高さレベルを前記後壁３Ｃと高さレベルより低くしてもよい。
【００４０】
なお、前記カッター１１は、本実施形態では鉄等の金属製で上端部に前記鋸歯１１Ａが形成されたものであるが、これに限らず、材質は合成樹脂製であったり、鋸歯の形状も単に三角形状の鋸歯であったり、凹凸を交互に形成したものであってもよい。
【００４１】
以上説明したような構成により、以下前記トイレットペーパーＰの前記トイレットペーパーホルダー１への収納（セット）の仕方について、説明する。先ず、磁力により両磁石６Ａ、６Ｂが互いに吸着されて、前記ホルダー本体３が閉じられている状態において、使用者は内蔵する前記バネの付勢力に抗して前記支持体９を短縮させて、各挿入凸部９Ａを前記支持溝から外した状態にしてから未使用の前記トイレットペーパーＰの中央開口部内に前記支持体９を挿通させる。
【００４２】
そして、前記支持体９を短縮又は伸長させながら各挿入凸部９Ａを前記両側壁３Ａ、３Ｂの前記支持溝にそれぞれ挿入させることにより、前記トイレットペーパーＰを前記ホルダー本体３に収納する。この場合、前記トイレットペーパーＰの端部が下方から後斜め上方へ引き上げられるように収納する。
【００４３】
そして、このように前記トイレットペーパーＰを前記ホルダー本体３内に収納した後、使用者は手で両磁石６Ａ、６Ｂの磁力に抗して、前記ホルダー本体３を前記ヒンジ５を支点として、右部を前方へ回転させた状態にする。更に、前記トイレットペーパーＰの開放側の端部を室内に向って手前方向に垂れ下げてから後方に導き、次いで前記ホルダー本体３の前記後壁３Ｃに沿って斜め上方へ移動させ、更に上方へ移動させた後、前記後壁３Ｃ及び前記前壁３Ｄ上端部の前記カッター１１に上方から掛かるようにし、前記トイレットペーパーＰの開放側の端部が前記カッター１１より前方に位置するように移動させる。
【００４４】
しかる後、使用者が前記ホルダー本体３を左側の前記ヒンジ５の前記支軸５Ｃを介して右側を後方へと回動させて、両磁石６Ａ、６Ｂを互いに吸着させて、前記ホルダー本体３を閉じる。このようにして、使用者は前記トイレットペーパーホルダー１を使用できるような状態にすることができる。
【００４５】
従って、使用者はトイレットに入り、用をたした後に、前記トイレットペーパーＰを使用する際には、前記ホルダー本体３に手を触れることなく、前記前壁３Ｄと前記後壁３Ｃと前記両側壁３Ａ、３Ｂと前記上壁３Ｅにより、形成された前記空間Ｓ１内に片方の手の指を入れて、既に前記トイレットペーパーＰの摘み代が確保されているので、一目瞭然に前記トイレットペーパーＰの開放側端部（切り口側端部）を見つけてこの片方の手で摘まむことができ、必要な長さ分だけ手前方向に引き出すことができる。
【００４６】
その際、前記ホルダー本体３の両側壁３Ａ、３Ｂと前記後壁３Ｃと前記取付板２とで形成される空間Ｓ２内を、前記トイレットペーパーＰはこの空間Ｓ２内に入り込んでいる前記抵抗付与部分１０Ｂに接触しながら、即ち適度な抵抗を受けながら上昇するので、空回りすることよって生じる引き出し過ぎをしないようにすることができる。
【００４７】
なお、前記抵抗付与部材１０はその折り返し部を起点として、その抵抗付与部分１０Ｂが上部に向かうに従って前記後壁３Ｃから徐々に離れる度合を増すことにより前記空間Ｓ２に入り込む度合が増すように傾斜しているが、引き出しの際に、前記トイレットペーパーＰの移動の際の進行方向とほぼ同じ順方向となるように前記空間Ｓ２に入り込んでいるので、前記トイレットペーパーＰは前記空間Ｓ２内に入り込んでいる前記抵抗付与部分１０Ｂの前記鋸歯１０Ｃに接触して適度な抵抗を受けながら上昇することとなり、前述したように、前記トイレットペーパーＰの引き出しの際に、空回りすることよって生じる引き出し過ぎをしないようにすることができる。
【００４８】
従って、片方の手で前記トイレットペーパーＰの開放側端部を摘まんで、確実に必要な長さ分だけ手前方向に引き出すことができ、その後に前記トイレットペーパーＰを下方へ引くことにより、前記前壁３Ｄ上端部に設けられた前記カッター１１により、このカッター１１の上部を支点として切断することができる。
【００４９】
また、この切断の際には、前記カッター１１の鋸歯１１Ａが前記トイレットペーパーＰに食い込みながら切断することになるので、前記トイレットペーパーＰの滑り出しも制限できるので、確実に切断できると共に引き出しをする手とは異なる他方の手で前記トイレットペーパーＰを直接又は間接的に押さえる必要が無く、容易に切断することができる。
【００５０】
切断後は前記トイレットペーパーＰの切断された端部が前記カッター１１の鋸歯１１Ａに食い込まれた状態となるため、前記トイレットペーパーＰの開放側端部は前記カッター１１と前記後壁３Ｃとに接触して概ね水平状態となっている。
【００５１】
このため、前記トイレットペーパーＰの開放側端部は前記空間Ｓ１によって摘まみ易い状態にしたまま切断されており、次回使用時にも、前記ホルダー本体３に手を触れることなく、前記空間Ｓ１内に横方向から片方の手の指を入れて、この片方の手で前記トイレットペーパーＰの開放側端部を摘まんで、必要な長さ分だけ手前方向に引き出すことができる。従って、前記ホルダー本体３に手を触れることなく、前記トイレットペーパーＰを手で引き出すことができると共に片手で切断できるから、衛生的で簡単に引き出し切断ができる。
【００５２】
以上のように、本実施形態によれば、前記トイレットペーパーＰを片手で引き出すことができると共に片手で切断できるようにし、且つ前記トイレットペーパーＰをその引き出し時に引き出し過ぎないように、前記抵抗付与部材１０により適度の抵抗を持たせるようにして、確実に所望の長さ分だけ手前方向に引き出せるようにすることができる。
【００５３】
この切断の際には、前記カッター１１の鋸歯１１Ａが前記トイレットペーパーＰに食い込みながら切断することになるので、前記トイレットペーパーＰの滑り出しも制限できるので、確実に切断できると共に引き出しをする手とは異なる他方の手で前記トイレットペーパーＰを直接又は間接的に押さえる必要が無く、容易に切断することができる。
【００５４】
しかも、前記ホルダー本体３に手を触れることなく、前記トイレットペーパーＰを片手で引き出すことができると共に片手で切断できるから、衛生的で簡単に引き出し切断ができる。
【００５５】
また、前記後壁３Ｃより少し後方へ延びた一方の前記側壁３Ｂ（又は３Ａ）の後端部は前記ヒンジ５により前記取付板２に連結し、他方の前記側壁３Ａ（又は３Ｂ）は工具を使用することなく手で前記固定部材６を介して前記取付板２に着脱自在に取り付け、取り外しができるように取り付けたから、前記固定部材６による前記取付板２への固定を解除することにより前記ホルダー本体３を前記ヒンジ５により回動させられ、前記ホルダー本体３に前記トイレットペーパーＰをセットするのが容易であり、更には一般に前記トイレットペーパーＰの上方に回動可能に設けられる上蓋体を設ける必要ないからコンパクトである。
【００５６】
次に、本発明の衛生的な前記トイレットペーパーホルダー１の第２の実施形態を図４及び図５に基づいて説明する。なお、この第２の実施形態においては、前述した第１の実施形態と異なる点を主として重点的に説明するが、同一の符号については、同一の機能又は類似の機能を果たすものとする。
【００５７】
先ず、第１の実施形態を示す図２における前記抵抗付与部材１０に代えて、第２の実施形態においては、前記取付板２の表面に内容物を収容して指で押圧すると形状が変形して凹むような容器である押圧体２１を固定する。
【００５８】
この第２の実施形態では、この押圧体２１は、内容物の収容量を増加させると膨らんだり又は減少させると凹んで薄くなって収容体積を調整できるような容器を使用し、出入口を備えた口金２１Ａと、この口金２１Ａの出入口を開閉する蓋体２１Ｂを開いて適宜な前記内容物を入れた後、閉じることにより、収容体積を調整でき、結果として、この押圧体２１が前記トイレットペーパーＰを前記ホルダー本体３の前記後壁３Ｃの裏面に押圧する押圧力が調整できるので、収容体積を調整することにより適度な押圧力で押圧することができる。このため、前記トイレットペーパーＰの引き出しの際の上昇移動するときに、適度の抵抗を与えることにより、空回りすることよって生じる引き出し過ぎをしないようにすることができる。
【００５９】
なお、前記内容物は、空気等の気体や飲料等の液体のような少しの力を加えると容易に変形する物質である流体でも、またゲル状の食品や、ゾル状の食品（ポタージュスープ、固形ではないヨーグルトやはちみつ等）等でもよい。
【００６０】
そして、前述したように、収容体積を調整した状態の前記押圧体２１を、例えば両面テープを使用して前記取付板２に着脱自在に固定し、前記ホルダー本体３を前記ヒンジ５を支点として、右部を前方へ回転させた状態において、前記トイレットペーパーＰの開放側の端部を室内に向って手前方向に垂れ下げてから後方に導き、次いで前記ホルダー本体３の前記後壁３Ｃに沿って斜め上方へ移動させ、更に上方へ移動させた後、前記後壁３Ｃ及び前記前壁３Ｄ上端部の前記カッター１１に上方から掛かるようにし、前記ホルダー本体３を左側の前記ヒンジ５の前記支軸５Ｃを介して右側を後方へと回動させて、両磁石６Ａ、６Ｂを互いに吸着させて、前記ホルダー本体３を閉じる。
【００６１】
すると、前記押圧体２１が前記トイレットペーパーＰを前記ホルダー本体３の前記後壁３Ｃの裏面に適当な押圧力で押圧し、前記トイレットペーパーＰの引き出しの際の上昇移動するときに適度の抵抗を与えることにより、言い換えると、適度な抵抗を受けながら上昇移動できることにより、前記トイレットペーパーＰが空回りすることよって生じる引き出し過ぎをしないようにすることができる。
【００６２】
なお、前述したように、前記押圧体２１を両面テープを使用して前記取付板２に着脱自在に固定したが、これに限らず、固定の仕方、構造については、例えば面ファスナーを使用してもよく、この場合、面ファスナーの一方を前記押圧体２１に、他方を前記取付板２に取り付ければよく、更には接着剤その他の固定手段で固定してもよく、また必ずしも着脱自在に固定するものでなくともよい。
【００６３】
また、前記押圧体２１は、内容物を収容して押圧すると形状が変形して凹むような容器であればよく、例えばキャップ付のスタンド袋や、キャップ付のガゼット袋や、キャップ付の変形袋等で構成でき、例えばポリエチレンフィルムや、ラミネートフィルム等の材質で袋が構成されるが、本第２の実施形態ではキャラクターが表示されたキャップ付の変形袋を使用する。このキャラクターが表示されたキャップ付の変形袋を使用すると、見て楽しく、遊び心を生じさせ、特に子供にとって、好適である。
【００６４】
しかし、これらに限らず、内容物を収容する量を変更することにより収容体積を調整できるような容器であるが、必ずしもキャップ付でなくともよく、また収容体積を調整できないものでもよく、前記トイレットペーパーＰの移動の際に、適度の押圧力によって適度の抵抗を与えられるような収容体積を有するものを使用してもよい。
【００６５】
そして、前記ホルダー本体３の前記前壁３Ｄの上面及び前面の、例えば右端部（左端部や、左右両端部でもよい。）において、前記カッター１１の右端部の上方に跨るように断面が略１８０度の円弧状を呈する手指保護部材２２の開放端部のそれぞれを前記前壁３Ｄの上面、前面に埋設して固定する。しかし、前記手指保護部材２２は、使用者の手指を保護するものであって、必ずしも、前述したような前記カッター１１の右端部の上方に跨るように配置しなくともよく、使用者の手指が前記カッター１１に触れにくくなるように邪魔するものであればよい。
【００６６】
従って、本第２の実施形態のように、前記カッター１１の右端部の上方に跨るように配置しても、前記手指保護部材２２が跨らない残りの前記カッター１１の鋸歯１１Ａにより、前記トイレットペーパーＰが切断できるように、前記トイレットペーパーＰの前記鋸歯１１Ａの幅方向の長さが必要であると共に前記手指保護部材２２を配置する必要がある。なお、前記前記手指保護部材２２の材質は、合成樹脂材料やその他の金属材料で作製してもよく、使用者の手指が触れても傷つかないような材質や、形状であればよい。
【００６７】
以上のように、使用者の指を保護する前記手指保護部材２２を設けることにより、前記トイレットペーパーＰの引き出し時や切断時に、前記前壁３Ｄの上面に前記鋸歯１１Ａが上向きに設けられた前記カッター１１に触れにくくなるように邪魔をして、使用者の手指を傷つけないように保護することができる。
【００６８】
また、片方の手で前記トイレットペーパーＰの開放側端部を摘まんで必要な長さ分だけ手前方向に引き出して、その後に前記トイレットペーパーＰを下方へ引いて前記トイレットペーパーＰを切断する時に、前記トイレットペーパーＰが移動しないように保持する役目を果たすペーパー保持部材２３を前記ホルダー本体３の前記前壁３Ｄの上面の前記カッター１１の後方位置に設ける。
【００６９】
なお、この第２の実施形態では、前記カッター１１の右端部の上方に跨るように前記手指保護部材２２の開放端部のそれぞれを前記前壁３Ｄの上面、前面に埋設して固定したが、これに限らず、前記ペーパー保持部材２３を前記ホルダー本体３の前記前壁３Ｄの右端部又は右端部直前位置まで延ばして、前記手指保護部材２２の上の開放端部を前記ペーパー保持部材２３に固定するか、前記ペーパー保持部材２３及び前記前壁３Ｄの上面に固定するか、前記ペーパー保持部材２３を貫通して前記前壁３Ｄの上面に固定するようにしてもよく、要は直接にか間接的に前記前壁３Ｄに固定すればよい。
【００７０】
なお、前述したように、第２の実施形態では、前記手指保護部材２２を前記ホルダー本体３の前記前壁３Ｄの右端部に設けたために、前記トイレットペーパーＰを切断する時には、直下方に引いて切断してもよいが、左下方向に向けて引いて切断してもよく、前記前壁３Ｄの左端部に設けた場合には、右下方向に向けて引いて切断してもよい。
【００７１】
このペーパー保持部材２３は、その上面にその頂部の高さレベルが前記カッター１１の鋸歯１１Ａの高さレベルと同じか僅か低い、例えば三角錐の突起２３Ａを複数個備える。このように、複数個備の前記突起２３Ａを備える前記ペーパー保持部材２３により、前記トイレットペーパーＰを下方へ引いて前記トイレットペーパーＰを切断する時に、前記トイレットペーパーＰが移動しないように保持することができるから、確実に前記トイレットペーパーＰを切断することができる。なお、前記突起２３Ａは、三角錐に限らず、四角錐、五角錐、その他多角錐の形状でもよい。
【００７２】
また、ペーパー保持部材２３として、前記トイレットペーパーＰが移動しないように保持することができるように、合成樹脂材料又はアルミニウム等で作製されたおろしがねの一部を、引き出す際にその突起や起立片が前記トイレットペーパーＰに食い込むように、複数個連続して配列してもよく、上面が粗面である、例えば研磨剤の接着してある基部が紙又は布である研磨布紙や、平板状の金属やすり等を使用してもよい。
【００７３】
以上説明したような構成により、以下第２の実施形態について説明するが、先ず前記トイレットペーパーＰの前記トイレットペーパーホルダー１への収納（セット）の仕方について、説明する。先ず、前記ホルダー本体３が閉じられている状態において、使用者は前記支持体９を短縮させて、各挿入凸部９Ａを前記支持溝から外した状態にしてから未使用の前記トイレットペーパーＰの中央開口部内に前記支持体９を挿通させる。
【００７４】
そして、前記支持体９を短縮又は伸長させながら各挿入凸部９Ａを前記両側壁３Ａ、３Ｂの前記支持溝にそれぞれ挿入させることにより、前記トイレットペーパーＰの端部が下方から後斜め上方へ引き上げられるように前記トイレットペーパーＰを前記ホルダー本体３に収納する。
【００７５】
そして、このように前記トイレットペーパーＰを前記ホルダー本体３内に収納した後、使用者は手で両磁石６Ａ、６Ｂの磁力に抗して、前記ホルダー本体３を開いた状態にする。更に、前記トイレットペーパーＰの開放側の端部を手前方向に垂れ下げてから後方に導き、次いで前記ホルダー本体３の前記後壁３Ｃに沿って斜め上方へ移動させ、更に上方へ移動させた後、前記後壁３Ｃ及び前記前壁３Ｄ上端部の前記カッター１１に上方から掛かるようにし、前記トイレットペーパーＰの開放側の端部が前記カッター１１より前方に位置するように移動させる。しかる後、使用者が前記ホルダー本体３を閉じて、使用者は前記トイレットペーパーホルダー１を使用できるような状態にすることができる。
【００７６】
従って、使用者はトイレットに入り、用をたした後に、前記トイレットペーパーＰを使用する際には、前記ホルダー本体３に手を触れることなく、前記前壁３Ｄと前記後壁３Ｃと前記両側壁３Ａ、３Ｂと前記上壁３Ｅにより、形成された前記空間Ｓ１内に片方の手の指を入れて、既に前記トイレットペーパーＰの摘み代が確保されているので、一目瞭然に前記トイレットペーパーＰの開放側端部（切り口側端部）を見つけてこの片方の手で摘まむことができ、必要な長さ分だけ手前方向に引き出すことができる。
【００７７】
しかも、前記トイレットペーパーＰの開放側端部（切り口側端部）を見つけてこの片方の手で摘まむ時や引き出し時には、使用者の手指が前記前壁３Ｄの上面に前記鋸歯１１Ａが上向きに設けられた前記カッター１１に触れにくくなるように前記手指保護部材２２が邪魔をして、使用者の手を傷つけないように保護することができる。
【００７８】
その引き出しの際、前記トイレットペーパーＰは前記ホルダー本体３の両側壁３Ａ、３Ｂと前記後壁３Ｃと前記取付板２とで形成される前記空間Ｓ２内を上昇するが、前記トイレットペーパーＰは前記押圧体２１により前記ホルダー本体３の前記後壁３Ｃの裏面に適当な押圧力で押圧されており、この前記トイレットペーパーＰの引き出しの際の上昇移動するときに、前記トイレットペーパーＰは適度の抵抗が与えられ、空回りすることよって生じる引き出し過ぎをしないようにすることができる。
【００７９】
なお、前記口金２１Ａの出入口を開閉する前記蓋体２１Ｂを開いて前記内容物を出したり又は入れたりした後、前記蓋体２１Ｂを閉じることにより、収容体積を調整することにより、前記トイレットペーパーＰに対する前記押圧体２１による押圧力を調整することができる。このため、押圧力が大きい場合には過度の抵抗により前記トイレットペーパーＰが千切れたり、又は押圧力が小さいと抵抗の不足により前記トイレットペーパーＰが空回りして引き出し過ぎが起こるが、前記押圧力を調整することにより、千切れたり又は引き出し過ぎしないようにすることができる。
【００８０】
従って、片方の手で前記トイレットペーパーＰの開放側端部を摘まんで、確実に必要な長さ分だけ手前方向に引き出すことができ、その後に前記トイレットペーパーＰを下方へ引くことにより、前記前壁３Ｄ上端部に設けられた前記カッター１１により、このカッター１１の上部を支点として切断することができる。
【００８１】
また、この切断の際には、前記カッター１１の鋸歯１１Ａが前記トイレットペーパーＰに食い込みながら切断することになるので、前記トイレットペーパーＰの滑り出しも制限できるので、確実に切断できると共に引き出しをする手とは異なる他方の手で前記トイレットペーパーＰを直接又は間接的に押さえる必要が無く、容易に切断することができる。
【００８２】
しかも、片方の手で前記トイレットペーパーＰの開放側端部を摘まんで必要な長さ分だけ手前方向に引き出して、その後に前記トイレットペーパーＰを下方へ引いて前記トイレットペーパーＰを切断する際には、前記ペーパー保持部材２３が前記トイレットペーパーＰが移動しないように保持する役目を果たすので、前記カッター１１により確実に切断できる。
【００８３】
そして、切断後は前記トイレットペーパーＰの切断された端部が前記カッター１１の鋸歯１１Ａ及び前記ペーパー保持部材２３の前記突起２３Ａに食い込まれた状態となるため、前記トイレットペーパーＰの開放側端部は前記カッター１１と前記後壁３Ｃとに接触して概ね水平状態となっている。
【００８４】
このため、前記トイレットペーパーＰの開放側端部は前記空間Ｓ１によって摘まみ易い状態にしたまま切断されており、次回使用時にも、前記ホルダー本体３に手を触れることなく、前記空間Ｓ１内に横方向から片方の手の指を入れて、この片方の手で前記トイレットペーパーＰの開放側端部を摘まんで、必要な長さ分だけ手前方向に引き出すことができる。従って、前記ホルダー本体３に手を触れることなく、前記トイレットペーパーＰを手で引き出すことができると共に片手で切断できるから、衛生的で簡単に引き出し切断ができる。
【００８５】
以上のように、第１及び第２の実施形態によれば、前記トイレットペーパーＰを片手で引き出すことができると共に片手で切断できるようにし、且つ前記トイレットペーパーＰをその引き出し時に引き出し過ぎないように、前記抵抗付与部材１０又は前記押圧体２１により適度の抵抗を持たせるようにして、確実に所望の長さ分だけ手前方向に引き出せるようにすることができる。
【００８６】
この切断の際には、前記カッター１１の鋸歯１１Ａ又は前記ペーパー保持部材２３の前記突起２３Ａが前記トイレットペーパーＰに食い込みながら切断することになるので、前記トイレットペーパーＰの滑り出しも制限できるので、確実に切断できると共に引き出しをする手とは異なる他方の手で前記トイレットペーパーＰを直接又は間接的に押さえる必要が無く、容易に切断することができる。
【００８７】
しかも、前記ホルダー本体３に手を触れることなく、前記トイレットペーパーＰを片手で引き出すことができると共に片手で切断できるから、衛生的で簡単に引き出し切断ができる。
【００８８】
更には、前記手指保護部材２２を設けることにより、前記トイレットペーパーＰの引き出し時や切断時に、前記前壁３Ｄの上面に前記鋸歯１１Ａが上向きに設けられた前記カッター１１に触れにくくなるように邪魔をして、使用者の手を傷つけないように保護することができる。
【００８９】
また、前記後壁３Ｃより少し後方へ延びた一方の前記側壁３Ｂ（又は３Ａ）の後端部は前記ヒンジ５により前記取付板２に連結し、他方の前記側壁３Ａ（又は３Ｂ）は工具を使用することなく手で前記固定部材６を介して前記取付板２に着脱自在に取り付け、取り外しができるように取り付けたから、前記固定部材６による前記取付板２への固定を解除することにより前記ホルダー本体３を前記ヒンジ５により回動させられ、前記ホルダー本体３に前記トイレットペーパーＰをセットするのが容易であり、更には一般に前記トイレットペーパーＰの上方に回動可能に設けられる上蓋体を設ける必要ないからコンパクトである。
【００９０】
なお、前述した第２の実施形態で説明した前記手指保護部材２２や、前記ペーパー保持部材２３を第１の実施形態に適用してもよく、適用することにより第２の実施形態と同様な効果が得られる。
【００９１】
以上本発明の実施態様について説明したが、上述の説明に基づいて当業者にとって種々の代表例、修正又は変形が可能であり、本発明はその趣旨を逸脱しない範囲で前述の種々の代表例、修正又は変形を包含するものである。
【符号の説明】
【００９２】
１          トイレットペーパーホルダー
２          取付板
３          ホルダー本体
５          ヒンジ
６          固定部材
６Ａ、６Ｂ  磁石
８          ペーパー支持部材
１０        抵抗付与部材
１０Ｂ      抵抗付与部分
１０Ｃ      鋸歯
１１        カッター
２１        押圧体
２２        手指保護部材
２３        ペーパー保持部材
Ｐ          トイレットペーパー
Ｓ１、Ｓ２  空間
【図１】
0006577822.tif 000002
【図２】
0006577822.tif 000003
【図３】
0006577822.tif 000004
【図４】
0006577822.tif 000005
【図５】
0006577822.tif 000006